(57)【要約】【課題】  無線タグを装着した移動対象の位置が変更された場合であっても無線タグとの通信を確保したうえで、移動対象へ過度な電波が照射されないようにする。  【解決手段】  無線タグ１０を装着した対象１１が通過するゲート部１２と、ゲート部１２に設けられた対象の存在位置を検出するセンサ１７〜２０と、ゲート部１２に設けられ無線タグ１０へ電波を送信するアンテナ２２〜２５と、アンテナに接続された電波出力調整部２６〜２９とを具備し、前記ゲート部１２における対象１１の位置に応じてアンテナ２２〜２５からの電波送信出力を調整するようにした無線タグ通信制御装置。【選択図】  図１
2006268695.tif 000002
【特許請求の範囲】
【請求項１】
移動する対象に装着された無線タグと通信を行う無線タグ通信制御装置において、前記対象が通過するゲート部と、前記ゲート部に設けられた前記対象の存在位置を検出するセンサと、前記ゲート部に設けられ前記無線タグへ電波を送信するアンテナと、前記アンテナに接続された電波出力調整部とを具備し、前記ゲート部における前記対象の位置に応じて前記アンテナからの電波送信出力を調整するようにしたことを特徴とする無線タグ通信制御装置。
【請求項２】
前記センサは複数設けられており、各々の前記センサによって前記ゲート部の異なる領域における前記対象の存在位置を検出する如くしたことを特徴とする請求項１記載の無線タグ通信制御装置。
【請求項３】
前記アンテナは複数設けられており、前記対象の前記ゲート部内の位置に応じて前記複数のアンテナの各々の電波送信出力を制御する如くしたことを特徴とする請求項１又は２記載の無線タグ通信制御装置。
【請求項４】
移動する対象に装着した無線タグと通信を行う無線タグ通信制御装置において、対向する位置に設けられ前記移動体の存在位置を検出する第１並びに第２センサと、対向する位置に設けられ前記無線タグに電波を送信する第１並びに第２アンテナと、前記第１アンテナに接続された第１電波出力調整部と、前記第２アンテナに接続された第２電波出力調整部とを具備し、前記対象の存在位置に応じて前記第１並びに第２アンテナからの電波送信出力を調整するようにしたことを特徴とする無線タグ通信制御装置。
【請求項５】
移動する対象に装着した無線タグと通信を行う無線タグ通信制御装置において、対向する一対の第１並びに第２仕切り壁と、この第１並びに第２仕切り壁の各々の一端に設けられ前記対象の存在位置を検出する第１並びに第３センサと、前記第１並びに第２仕切り壁の各々の他端に設けられ前記対象の存在位置を検出する第２並びに第４センサと、前記第１の仕切壁に設けられた第１並びに第３アンテナと、前記第２仕切り壁に設けられ各々前記第１並びに第３アンテナに対向する位置に設けられた第２並びに第４アンテナと、前記第１乃至第４アンテナの各々に接続された第１乃至第４電波出力調整部とを具備し、前記対象の存在位置に応じて前記第１乃至第４アンテナからの電波送信出力を調整するようにしたことを特徴とする無線タグ通信制御装置。
【請求項６】
前記第１並びに第３アンテナは前記第１並びに第３センサの間に設けられており、前記第２並びに第４アンテナは前記第２並びに第４センサの間に設けられていることを特徴とする請求項５記載の無線タグ通信制御装置。
【発明の詳細な説明】
【技術分野】
【０００１】
本発明は、無線タグを装着した人や物品が各種施設に設置されている通信ゲートを通過する際の最適通信を可能とした無線タグ通信制御装置に関する。
【背景技術】
【０００２】
各種施設の管理区域への人の入退や移送される物品の仕分けなどに際し、人や物品に固有ＩＤデータなどを格納した無線タグを装着しておき、出入り口や配送路に設けたアンテナから電波を送信して無線タグとの間で通信を行う方式が広く各方面で利用されている。反面、無線タグとアンテナとの距離も拡大傾向にあり、通信を確実にするためにアンテナから送信される電波出力も増大する傾向にある。
【０００３】
しかしながら、出力の増大された強力な電波は周囲の各種情報処理機器にとっても誤動作を招来するなど悪影響が懸念される。更に、人の到来が予測できなかったり、物品の移送がランダムになされることなどに対応するため、アンテナからの強力な電波送信が常時行なわれることもあって、電波による悪影響の懸念は一層高まることとなる。
【０００４】
そこで、無線タグとの通信を行うためのアンテナの手前に人の到来を検知するセンサを設置しておき、このセンサにて人を検知するまではアンテナからの電波送信を停止し、センサにて検知した後にアンテナからの電波送信を開始する技術が知られている（例えば、特許文献１参照）。
【特許文献１】特開２０００−２０６４８号公報
【発明の開示】
【発明が解決しようとする課題】
【０００５】
然るに、特許文献１の方式によると人の到来をセンサで検知するまではアンテナからの電波を停止しておくため、省エネルギ並びに周囲の情報機器への悪影響を低減することはできるが、人を検知した後は正しく通信が行われるよう、所定の出力の電波送信を行っていた。
【０００６】
本発明は、このような課題を解決するためになされたもので、過度な電波送信を行うことなく対象に装着された無線タグとの間で最適な通信を可能とした無線タグ通信処理装置を提供することを目的とする。
【課題を解決するための手段】
【０００７】
本発明に係わる無線タグ通信制御装置は、移動する対象に装着された無線タグと通信を行う無線タグ通信制御装置において、前記対象が通過するゲート部と、前記ゲート部に設けられた前記対象の存在位置を検出するセンサと、前記ゲート部に設けられ前記無線タグへ電波を送信するアンテナと、前記アンテナに接続された電波出力制御部とを具備し、前記ゲート部における前記対象の位置に応じて前記アンテナからの電波送信出力を制御するようにしたことを特徴とする。
【発明の効果】
【０００８】
無線タグとの通信を行うゲート内にて移動する対象の位置が変更された場合であっても、無線タグとの通信は確保したうえで対象へ過度に電波が照射されることが回避される。
【発明を実施するための最良の形態】
【０００９】
以下に本発明の実施形態を図を参照して説明する。図１は無線タグ１０を装着した対象者１１がゲート部１２を通行する際に、このゲート部１２に設置されているアンテナ１３と無線タグ１０との間で交信がなされるように設定されている。
【００１０】
ゲート部１２は、両側が第１仕切り壁１４、第２仕切り壁１５に挟まれた通路１６によって形成されている。なお、対象者１１は図１の矢印の方向に歩行してくるものとし、通路１６の入口を図の上方とし、出口を図の下方とする。第１、第２仕切り壁１４、１５の入口端、出口端には人を検知するセンサが設けられている。すなわち、第１仕切り壁１４の入口端には図にＡで示した第１センサ１７、第２仕切り壁１５の入口端には図にＢで示した第２センサ１８、第１仕切り壁１４の出口端には図にＣで示した第３センサ１９、第２仕切り壁１５の出口端には図にＤで示した第４センサ２０が設置されている。
【００１１】
これらのセンサ１７〜２０は図では簡略に示したが、赤外線方式あるいは透過方式などのセンサシステムを利用すればよい。また、対象者１１が通路１６の中を通行した際に、これらのセンサの作動によって対象者１１が通路１６内のどの位置にいるかが判明するように構成されている。
【００１２】
すなわち、図１にＡ＋Ｂで示す領域は、第１センサ１７と第２センサ１８の両センサにて等しく対象者１１の存在を検知できる領域である。Ａのみで示す領域は、第２センサ１８によっては対象者１１の存在が検知できず、第１センサ１７によってのみ検知し得る領域である。領域Ａは第１仕切り壁１４よりも第２仕切り壁１５に寄った位置となる。同様に領域Ｂは第１センサでは検知されず、第２センサ１８によってのみ検知し得る第１仕切り壁１４に寄った位置となる。
【００１３】
このようにして、領域Ｃ＋Ｄは第３センサ１９と第４センサ２０によって対象者１１が検知される領域で、領域Ｄは第４センサ２０により検知され、領域Ｃは第３センサ１９によって検知される。領域Ａ＋Ｃは第１センサ１７と第３センサ１９によって検知され、領域Ｂ＋Ｃは第２センサ１８と第４センサ２０によって検知される領域である。なお、通路中央の無印の中央領域２１は、いずれのセンサによっても検知されない領域であるが、対象者１１が通路１６の入口の領域Ａ＋Ｂに入ったこと検知した後に、Ａ〜Ｃに係わるいずれの領域をも検知しない状態の場合にこの中央領域２１に対象者がいることを判断するようにすることができる。更にこの中央領域２１については他の種々の存否センサ方式の中から別センサを併用して検知可能に構成することは困難なことではない。
【００１４】
さて、第１仕切り壁１４と第２仕切り壁１５には対象者１１に装着されている無線タグ１０との間で交信を行うための電波送信アンテナが設置されている。すなわち、第１仕切り壁１４の入口側には第１アンテナ２２が設置され、第２仕切り壁１５の入口側の第１アンテナ２２に対向する位置には第２アンテナ２３が設置されている。同様に第１仕切り壁１４の出口側には第３アンテナ２４、第２仕切り壁の出口側の第３アンテナ２４に対向する位置には第４アンテナ２５が設置されている。各アンテナからは無線タグ１０に対して交信用の電波を照射する発信部、制御部が接続されているが、図示は省略してある。
【００１５】
なお、第１アンテナ２２〜第４アンテナ２５の各々には、電波出力を調整する第１電波出力調整部２６、第２電波出力調整部２７、第３電波出力調整部２８、第４電波出力調整部２９が接続されている。これらの電波出力調整部は後述するように通路１６内の対象者１１の存在位置に応じて電波送信出力を各々の第１乃至第４電波出力調整部２６〜２９ごとに個別に調整可能な機能を有している。この電波送信出力の調整としては、対象者１１の位置が通路１６内で変化し、いずれの位置の場合であっても、無線タグ１０との間で交信が維持できる最小の出力の電波が無線タグ１０に発信されるように調整がなされる。
【００１６】
さて、対象者１１が通路１６内に進行してくると、先ず領域Ａ＋Ｂに入る。この場合には第１アンテナ２２並びに第２アンテナ２３から同一出力の電波を発信する。その後、対象者１１が領域Ａ、すなわち第１アンテナ２２から離れ第２アンテナ２３に接近した位置に到来した場合には、第１アンテナ２２からの出力を上げ、第２アンテナ２３からの出力を低下させ、対象者１１には過度な電波が照射されることなく、無線タグ１０には所定の出力の電波が発信されるよう第１電波出力調整部２６、第２電波出力調整部２７を調整する。
【００１７】
対象者１１が領域Ａ＋Ｂ、領域Ａ、領域Ｂにいるときには、第１並びに第２アンテナ２２、２３のみが作動しており、第３並びに第４アンテナ２４、２５の電波発信は停止させてある。
【００１８】
もし、対象者１１が領域Ａに到来したにもかかわらず、第１並びに第２アンテナ２２、２３の出力を均等にしておくと、第２アンテナに近接している対象者１１には所定の強度よりも強い過度の出力の電波が照射されることになってしまう。
【００１９】
対象者１１が領域Ｂに到来した場合には、上述は逆に第１アンテナ２２の出力を下げ第２アンテナ２３の出力を上げる。対象者１１が領域Ａ＋Ｃに到来した場合には、第３並びに第４アンテナ２４、２５も作動させ、第１アンテナ２２、第３アンテナ２４の出力を上げ、第２アンテナ２３、第４アンテナ２５の出力を下げる。
【００２０】
同様に、領域Ｂ＋Ｃに対象者が入った場合には第２アンテナ２３、第４アンテナ２５の出力を上げ、第１アンテナ２２、第３アンテナ２４の出力を下げる。なお、第１乃至第４アンテナ２２〜２５の全てのアンテナから電波を発信させるモードにされた場合であっても、対象者１１に装着されている無線タグ１０に照射される電波出力は、２つのアンテナの場合と同一になるよう調整されている。
【００２１】
対象者１１が領域Ｄ、領域Ｃ、領域Ｃ＋Ｄに到来した場合も上述した例と同様であり、詳細な説明は省略する。なお、通路１６の中央の領域２１に対象者１１が到来した場合には、第１乃至第４アンテナ２２〜２５から均等の出力の電波が発信するようにすればよい。この場合であっても無線タグ１０には他のモードと同一の出力の電波が発信されることになる。
【００２２】
このようにして、無線タグ１０が装着された対象者１１の位置に応じてアンテナ２２〜２５からの出力を調整し常に無線タグ１０が受信する電波、すなわち対象者１１が照射を受ける電波の強度は交信可能な範囲の必要最小限に抑えることが可能となる。また、上述した例では通路１６の両側に対称的に４個のアンテナを配した例で説明したが、本発明は、これに限られるものではなく、例えば、片側のみ１個のアンテナであっても対象者の位置がアンテナに接近した場合には出力を下げ、遠ざかった場合には出力を上げることにより常に無線タグが受信する電波の出力は必要最小限に維持することが可能である。従って、他にアンテナは２個、３個であっても同様な制御が可能である。
【図面の簡単な説明】
【００２３】
【図１】本発明の実施形態を示すシステム構成図。
【符号の説明】
【００２４】
１０…無線タグ、１１…対象者、１２…ゲート部、１３…アンテナ、１４…第１仕切り壁、１５…第２仕切り壁、１６…通路、１７…第１センサ、１８…第２センサ、１９…第３センサ、２０…第４センサ、２１…中央領域、２２…第１アンテナ、２３…第２アンテナ、２４…第３アンテナ、２５…第４アンテナ、２６…第１電波出力調整部、２７…第２電波出力調整部、２８…第３電波出力調整部、２９…第４電波出力調整部。
【図１】
2006268695.tif 000003
【手続補正書】
【提出日】平成18年3月22日(2006.3.22)
【手続補正１】
【補正対象書類名】特許請求の範囲
【補正対象項目名】請求項５
【補正方法】変更
【補正の内容】
【請求項５】
移動する対象に装着した無線タグと通信を行う無線タグ通信制御装置において、対向する一対の第１並びに第２仕切り壁と、この第１並びに第２仕切り壁の各々の一端に設けられ前記対象の存在位置を検出する第１並びに第２センサと、前記第１並びに第２仕切り壁の各々の他端に設けられ前記対象の存在位置を検出する第３並びに第４センサと、前記第１の仕切壁に設けられた第１並びに第３アンテナと、前記第２仕切り壁に設けられ各々前記第１並びに第３アンテナに対向する位置に設けられた第２並びに第４アンテナと、前記第１乃至第４アンテナの各々に接続された第１乃至第４電波出力調整部とを具備し、前記対象の存在位置に応じて前記第１乃至第４アンテナからの電波送信出力を調整するようにしたことを特徴とする無線タグ通信制御装置。
【手続補正２】
【補正対象書類名】明細書
【補正対象項目名】００１３
【補正方法】変更
【補正の内容】
【００１３】
このようにして、領域Ｃ＋Ｄは第３センサ１９と第４センサ２０によって対象者１１が検知される領域で、領域Ｄは第４センサ２０により検知され、領域Ｃは第３センサ１９によって検知される。領域Ａ＋Ｃは第１センサ１７と第３センサ１９によって検知され、領域Ｂ＋Ｄは第２センサ１８と第４センサ２０によって検知される領域である。なお、通路中央の無印の中央領域２１は、いずれのセンサによっても検知されない領域であるが、対象者１１が通路１６の入口の領域Ａ＋Ｂに入ったこと検知した後に、Ａ〜Ｃに係わるいずれの領域をも検知しない状態の場合にこの中央領域２１に対象者がいることを判断するようにすることができる。更にこの中央領域２１については他の種々の存否センサ方式の中から別センサを併用して検知可能に構成することは困難なことではない。